(57)【要約】  本技術は、より柔軟に、デジタルテレビ放送の運用を行うことができるようにする受信装置、送信装置、及び、データ処理方法に関する。受信装置は、周波数分割多重化方式（FDM）で伝送される放送信号を受信し、放送信号から得られる、物理層の制御情報である第１の制御情報に含まれる情報であって、物理層よりも上位の層の制御情報である第２の制御情報の存在の有無を示す制御情報存在情報に基づいて、階層ごとに伝送される第２の制御情報を処理する。本技術は、例えば、デジタルテレビ放送を受信可能な受信機に適用することができる。
2018008428.tif 000002
【特許請求の範囲】
【請求項１】
周波数分割多重化方式（FDM：Frequency Division Multiplexing）で伝送される放送信号を受信する受信部と、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する処理部と
を備える受信装置。
【請求項２】
前記第１の制御情報は、階層ごとに、前記制御情報存在情報を含む
請求項１に記載の受信装置。
【請求項３】
前記第１の制御情報は、前記物理層のフレームに含まれる可変長の情報である
請求項２に記載の受信装置。
【請求項４】
前記物理層のフレームは、前記第１の制御情報の長さを示す長さ情報を含む
請求項３に記載の受信装置。
【請求項５】
前記長さ情報は、前記物理層のフレームの先頭を検出するための同期信号を含む
請求項４に記載の受信装置。
【請求項６】
前記階層は、１又は複数のセグメントから構成され、
前記第１の制御情報は、階層ごとに、セグメントの個数を示す情報を含む
請求項２に記載の受信装置。
【請求項７】
前記階層は、１又は複数のセグメントから構成され、
前記第１の制御情報は、階層ごとに、各階層が使用するセグメントを、セグメント単位で指定可能な情報を含む
請求項２に記載の受信装置。
【請求項８】
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
請求項２に記載の受信装置。
【請求項９】
前記第１の制御情報は、階層ごとの変調パラメータを含む制御情報であり、
前記第２の制御情報は、IP(Internet Protocol)パケットを含む可変長パケットの制御情報である
請求項１に記載の受信装置。
【請求項１０】
受信装置のデータ処理方法において、
前記受信装置が、
周波数分割多重化方式（FDM）で伝送される放送信号を受信し、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する
ステップを含むデータ処理方法。
【請求項１１】
物理層の制御情報である第１の制御情報であって、前記物理層よりも上位の層の制御情報である第２の制御情報の存在の有無を示す制御情報存在情報を含む前記第１の制御情報を生成する生成部と、
周波数分割多重化方式（FDM）により、前記第１の制御情報と前記第２の制御情報を含む放送信号を送信する送信部と
を備える送信装置。
【請求項１２】
前記第１の制御情報は、階層ごとに、前記制御情報存在情報を含む
請求項１１に記載の送信装置。
【請求項１３】
前記第１の制御情報は、前記物理層のフレームに含まれる可変長の情報である
請求項１２に記載の送信装置。
【請求項１４】
前記物理層のフレームは、前記第１の制御情報の長さを示す長さ情報を含む
請求項１３に記載の送信装置。
【請求項１５】
前記長さ情報は、前記物理層のフレームの先頭を検出するための同期信号を含む
請求項１４に記載の送信装置。
【請求項１６】
前記階層は、１又は複数のセグメントから構成され、
前記第１の制御情報は、階層ごとに、セグメントの個数を示す情報を含む
請求項１２に記載の送信装置。
【請求項１７】
前記階層は、１又は複数のセグメントから構成され、
前記第１の制御情報は、階層ごとに、各階層が使用するセグメントを、セグメント単位で指定可能な情報を含む
請求項１２に記載の送信装置。
【請求項１８】
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
請求項１２に記載の送信装置。
【請求項１９】
前記第１の制御情報は、階層ごとの変調パラメータを含む制御情報であり、
前記第２の制御情報は、IPパケットを含む可変長パケットの制御情報である
請求項１１に記載の送信装置。
【請求項２０】
送信装置のデータ処理方法において、
前記送信装置が、
物理層の制御情報である第１の制御情報であって、前記物理層よりも上位の層の制御情報である第２の制御情報の存在の有無を示す制御情報存在情報を含む前記第１の制御情報を生成し、
周波数分割多重化方式（FDM）により、前記第１の制御情報と前記第２の制御情報を含む放送信号を送信する
ステップを含むデータ処理方法。
【発明の詳細な説明】
【技術分野】
【０００１】
本技術は、受信装置、送信装置、及び、データ処理方法に関し、特に、より柔軟に、デジタルテレビ放送の運用を行うことができるようにした受信装置、送信装置、及び、データ処理方法に関する。
【背景技術】
【０００２】
例えば、地上デジタルテレビ放送の放送方式として、日本等が採用するISDB-T(Integrated Services Digital Broadcasting - Terrestrial)においては、物理層の制御情報として、TMCC(Transmission Multiplexing Configuration Control)が規定されている（例えば、非特許文献１参照）。
【先行技術文献】
【非特許文献】
【０００３】
【非特許文献１】ARIB STD-B31 2.2版 一般社団法人 電波産業会
【発明の概要】
【発明が解決しようとする課題】
【０００４】
ところで、現行の放送方式の拡張に伴い、物理層の制御情報を拡張して、より柔軟に、デジタルテレビ放送の運用を行うことができるようにするための提案が要請されていた。【０００５】
本技術はこのような状況に鑑みてなされたものであり、より柔軟に、デジタルテレビ放送の運用を行うことができるようにするものである。
【課題を解決するための手段】
【０００６】
本技術の第１の側面の受信装置は、周波数分割多重化方式（FDM）で伝送される放送信号を受信する受信部と、前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する処理部とを備える受信装置である。【０００７】
本技術の第１の側面の受信装置は、独立した装置であってもよいし、１つの装置を構成している内部ブロックであってもよい。また、本技術の第１の側面のデータ処理方法は、上述した本技術の第１の側面の受信装置に対応するデータ処理方法である。【０００８】
本技術の第１の側面の受信装置、及び、データ処理方法においては、周波数分割多重化方式（FDM）で伝送される放送信号が受信され、前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報が処理される。【０００９】
本技術の第２の側面の送信装置は、物理層の制御情報である第１の制御情報であって、前記物理層よりも上位の層の制御情報である第２の制御情報の存在の有無を示す制御情報存在情報を含む前記第１の制御情報を生成する生成部と、周波数分割多重化方式（FDM）により、前記第１の制御情報と前記第２の制御情報を含む放送信号を送信する送信部とを備える送信装置である。【００１０】
本技術の第２の側面の送信装置は、独立した装置であってもよいし、１つの装置を構成している内部ブロックであってもよい。また、本技術の第２の側面のデータ処理方法は、上述した本技術の第２の側面の送信装置に対応するデータ処理方法である。【００１１】
本技術の第２の側面の送信装置、及び、データ処理方法においては、物理層の制御情報である第１の制御情報であって、前記物理層よりも上位の層の制御情報である第２の制御情報の存在の有無を示す制御情報存在情報を含む前記第１の制御情報が生成され、周波数分割多重化方式（FDM）により、前記第１の制御情報と前記第２の制御情報を含む放送信号が送信される。
【発明の効果】
【００１２】
本技術の第１の側面、及び、第２の側面によれば、より柔軟に、デジタルテレビ放送の運用を行うことができる。【００１３】
なお、ここに記載された効果は必ずしも限定されるものではなく、本開示中に記載されたいずれかの効果であってもよい。
【図面の簡単な説明】
【００１４】
【図１】本技術を適用した伝送システムの一実施の形態の構成を示す図である。
【図２】送信装置の構成例を示す図である。
【図３】受信装置の構成例を示す図である。
【図４】本技術の階層の例を示す図である。
【図５】現行の物理層のフレームの構造と制御情報の配置を示す図である。
【図６】本技術の物理層のフレームの構造と制御情報の配置の例を示す図である。
【図７】本技術TMCC情報のシンタックスの例を示す図である。
【図８】FFTサイズの例を示す図である。
【図９】キャリア変調方式の例を示す図である。
【図１０】エラー訂正のコードレートの例を示す図である。
【図１１】ガードインターバルの例を示す図である。
【図１２】伝送データの種類の例を示す図である。
【図１３】TMCC長さ情報のシンタックスの例を示す図である。
【図１４】図７の本技術TMCC情報を用いた場合におけるセグメントと階層との関係を示す図である。
【図１５】本技術TMCC情報のシンタックスの他の例を示す図である。
【図１６】図１５の本技術TMCC情報を用いた場合におけるセグメントと階層との関係を示す図である。
【図１７】複数階層の場合の時刻情報の送出タイミングを示す図である。
【図１８】本技術TMCC情報対応処理を説明するフローチャートである。
【図１９】コンピュータの構成例を示す図である。
【発明を実施するための形態】
【００１５】
以下、図面を参照しながら本技術の実施の形態について説明する。なお、説明は以下の順序で行うものとする。
【００１６】
１．システムの構成
２．本技術の概要
３．本技術の物理層の制御情報
４．本技術TMCC情報対応処理の流れ
５．変形例
６．コンピュータの構成
【００１７】
＜１．システムの構成＞
【００１８】
（伝送システムの構成例）
図１は、本技術を適用した伝送システムの一実施の形態の構成を示す図である。なお、システムとは、複数の装置が論理的に集合したものをいう。
【００１９】
図１において、伝送システム１は、送信装置１０と受信装置２０から構成される。この伝送システム１では、所定の放送方式に準拠したデータ伝送が行われる。
【００２０】
送信装置１０は、所定の放送方式に対応した送信機であって、伝送路３０を介してコンテンツを送信する。例えば、送信装置１０は、放送番組等のコンテンツの映像や音声、字幕のデータと、制御情報を含む放送ストリームを、放送波として、伝送路３０を介して送信する。
【００２１】
受信装置２０は、所定の放送方式に対応した受信機であって、送信装置１０から伝送路３０を介して送信されてくる、コンテンツを受信して出力する。例えば、受信装置２０は、送信装置１０からの放送波を受信して、放送ストリームに含まれる、映像や音声、字幕のデータと制御情報を処理することで、放送番組等のコンテンツの映像や音声を再生する。
【００２２】
なお、伝送システム１において、伝送路３０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２３】
（送信装置の構成例）
図２は、図１の送信装置１０の構成例を示す図である。
【００２４】
図２において、送信装置１０は、パケット処理部１１１、制御情報生成部１１２、フレーム生成部１１３、及び変調部１１４から構成される。
【００２５】
パケット処理部１１１は、コンテンツの映像や音声、字幕等のデータを格納したパケットを処理し、フレーム生成部１１３に供給する。
【００２６】
なお、パケット処理部１１１は、上位層の制御情報や時刻情報等をパケットに含めることができる。ここで、上位層とは、地上デジタルテレビ放送のプロトコルスタックにおいて、物理層よりも上位の層を意味している。
【００２７】
制御情報生成部１１２は、受信側での復調処理や復号処理等を行うための物理層の制御情報を生成し、フレーム生成部１１３に供給する。
【００２８】
フレーム生成部１１３には、パケット処理部１１１から供給されるパケットと、制御情報生成部１１２から供給される制御情報を処理することで、所定の放送方式に準拠した物理層のフレーム（物理層フレーム）を生成し、変調部１１４に供給する。
【００２９】
変調部１１４は、フレーム生成部１１３から供給される物理層フレームに対し、必要な処理（変調処理）を施して、それにより得られる放送信号を、アンテナ１２１を介して送信する。
【００３０】
送信装置１０は、以上のように構成される。なお、図２においては、説明の都合上、送信装置１０が、あたかも１つの装置から構成されるように記載されているが、送信側の送信装置１０は、図２のブロックの各機能を有する複数の装置から構成されるシステムとすることができる。
【００３１】
（受信装置の構成例）
図３は、図１の受信装置２０の構成例を示す図である。
【００３２】
図３において、受信装置２０は、RF部２１１、復調部２１２、及び処理部２１３から構成される。
【００３３】
RF部２１１は、例えば、チューナ等から構成される。RF部２１１は、アンテナ２２１を介して受信した放送信号に対し、必要な処理を施し、それにより得られる信号を、復調部２１２に供給する。
【００３４】
復調部２１２は、例えば、復調LSI(Large Scale Integration)等から構成される。復調部２１２は、RF部２１１から供給される信号に対し、復調処理を行う。この復調処理では、例えば、物理層の制御情報に従い、物理層フレームが処理され、パケットが得られる。復調処理で得られたパケットは、処理部２１３に供給される。
【００３５】
処理部２１３は、例えば、メインSoC(System On Chip)等から構成される。処理部２１３は、復調部２１２から供給されるパケットに対し、所定の処理を行う。ここでは、例えば、パケットに含まれる上位層の制御情報に基づいて、選局処理などが行われる。
【００３６】
処理部２１３による処理で得られる映像や音声、字幕等のデータに対しては、後段の回路で、復号処理などが施され、その結果得られる映像や音声が出力される。これにより、受信装置２０では、放送番組等のコンテンツが再生され、その映像や音声が出力されることになる。
【００３７】
受信装置２０は、以上のように構成される。なお、受信装置２０は、例えば、テレビ受像機やセットトップボックス（STB：Set Top Box）等の固定受信機や、携帯電話機やスマートフォン等のチューナを搭載したモバイル受信機として構成される。また、受信装置２０は、車両に搭載される車載機器であってもよい。
【００３８】
＜２．本技術の概要＞
【００３９】
ところで、日本では、地上デジタルテレビ放送の放送方式として、ISDB-Tが採用されている（例えば、上記の非特許文献１参照）。
【００４０】
ISDB-Tにおいては、主に固定受信機向けの放送であり、12セグメントを使用したハイビジョン放送と、主にモバイル受信機向けの放送であり、１セグメントを使用した「携帯電話・移動体端末向けの１セグメント部分受信サービス」（ワンセグ放送）が規定されている。
【００４１】
その一方で、日本では、地上デジタルテレビ放送の次世代に向けた高度化の検討が開始されている（以下、この高度化の検討がされている規格を、「ISDB-T2」とも称する）。
【００４２】
現行のISDB-Tでは、放送信号の多重化の方式として、周波数分割多重化方式（FDM：Frequency Division Multiplexing）が採用されているが、次世代のISDB-T2においても同様に、周波数分割多重化方式（FDM）が採用されることが想定される。
【００４３】
この周波数分割多重化方式（FDM）を採用した場合には、所定の周波数帯域（例えば6MHz）が、複数のセグメントに周波数分割され、１又は複数のセグメントごとの帯域を利用した階層伝送が行われる。この場合に、周波数分割で得られる、１又は複数のセグメントの周波数帯域からなる階層ごとに、例えば、異なるサービスのデータを伝送することができる。
【００４４】
すなわち、各階層は、１又は複数のセグメントをまとめた単位である。なお、ISDB-Tにおいては、OFDMセグメントが用いられている。ここで、OFDM（Orthogonal Frequency Division Multiplexing）（直交周波数分割多重）では、伝送帯域内に多数の直交するサブキャリア（副搬送波）が設けられ、デジタル変調が行われる。
【００４５】
また、次世代のISDB-T2では、新たな物理層の制御情報（シグナリング）として、現行のISDB-Tと同様に、TMCC(Transmission Multiplexing Configuration Control)が規定される予定である。このTMCC情報は、複数の伝送パラメータ（変調パラメータ）が混在する階層伝送において、受信装置２０での復調処理や復号処理などを行うための伝送制御情報である。
【００４６】
また、現行のISDB-Tでは、伝送方式として、現在広く普及しているMPEG2-TS(Transport Stream)方式を採用しているが、次世代のISDB-T2では、放送と通信の連携を目的として、通信の分野で用いられているIP(Internet Protocol)パケットを、デジタルテレビ放送に適用したIP方式を導入することで、より高度なサービスを提供することが期待されている。
【００４７】
このIP方式を採用する場合、IPパケットを放送伝送路で伝送するためのTLV(Type Length Value)パケットを用いることが想定される。TLVパケットは、可変長のパケットであって、例えば、4〜65536バイトのサイズとされる。TLVパケットは、IPパケットを格納する。また、IP方式を採用する場合には、メディアトランスポート方式として、放送や通信等の多様なネットワークを用いてマルチメディアコンテンツを伝送するためのMMT(MPEG Media Transport)を用いることが想定される。
【００４８】
すなわち、このMMTを用いて、映像や音声、字幕、制御情報、アプリケーション、及びコンテンツ等のデータが、IPパケットに格納され、さらにIPパケットがTLVパケットにカプセル化され、それにより得られるTLVストリームが、放送波として伝送されることになる。以下、このようなIP方式のトランスポートプロトコルとして、MMTを用いる方式を、TLV/MMT方式とも称する。
【００４９】
なお、MMTによるメディアトランスポート方式は、例えば、下記の非特許文献２に規定されている。この非特許文献２においては、物理層よりも上位層の制御情報として、TLV-SIとMMT-SIの２種類の制御情報（SI：Signaling Information）が規定されている。
【００５０】
TLV-SIは、IPパケットの多重のためのTLV多重化方式に関わる制御情報である。このTLV-SIには、例えば、TLV-NIT(Network Information Table)やAMT(Address Map Table)などが含まれる。TLV-NITは、TLVパケットによる伝送において、変調周波数等の伝送路の情報と、放送番組とを関連付けるための情報である。AMTは、放送番組番号を識別するためのサービス識別子と、IPパケットとを関連付けるための情報である。なお、MMT-SIは、メディアトランスポート方式であるMMTに関わる制御情報である。このMMT-SIには、放送番組の構成などを示す情報が含まれる。
【００５１】
非特許文献２：ARIB STD-B60 1.6版 一般社団法人 電波産業会
【００５２】
以上のように、次世代の地上デジタルテレビ放送の放送方式として、現行の地上デジタルテレビ放送の放送方式を拡張して、高度化することが検討されているが、その拡張に伴い、より柔軟に、デジタルテレビ放送の運用を行うことができるようにするための提案が要請されている。本技術は、そのような要請に応えるために、より柔軟に、デジタルテレビ放送の運用を行うことができるようにするものである。
【００５３】
例えば、現行のISDB-Tで規定されているTMCC情報には、階層ごとに伝送される、上位層の制御情報（例えば、TLV-SI）に関する情報がないため、選局時の選局処理等の処理を効率よく行うことができない。そこで、本技術では、物理層の制御情報（例えば、TMCC情報）に、階層ごとに、上位層の制御情報（例えば、TLV-SI）の存在の有無を示す情報（後述の制御情報存在情報）を含めることで、選局処理等の処理を効率よく行うことができるようにする。その結果、より柔軟に、デジタルテレビ放送の運用を行うことができるようになる。
【００５４】
＜３．本技術の物理層の制御情報＞
【００５５】
（本技術の階層の例）
図４は、本技術の階層の例を説明する図である。
【００５６】
図４には、周波数分割多重化方式（FDM）が採用されている場合おいて、横方向を周波数f（MHz）としたときに、図中の四角で表したセグメントにより、階層が構成されることを示している。
【００５７】
すなわち、周波数分割多重化方式（FDM）が採用される場合、所定の周波数帯域（例えば6MHz）が複数のセグメントに周波数分割される。図４においては、35セグメントに周波数分割されている。ここでは、35個のセグメントのうち、図中の中央の１セグメントを、セグメント#0として、その左右のセグメントを、セグメント#1，#2とし、さらに、その左右のセグメントを、セグメント#3，#4とすることを繰り返していくと、図中の最も左側の１セグメントが、セグメント#33となり、図中の最も右側の１セグメントが、セグメント#34となる。
【００５８】
また、１又は複数のセグメントをまとめることで、階層が構成される。図４においては、セグメント#0乃至#2の３セグメントにより、階層１が構成される。また、セグメント#3，#5と、セグメント#4，#6の４セグメントにより、階層２が構成される。図４では、セグメント#8乃至#29の記述は省略しているが、セグメント#7乃至#30の複数の24セグメントにより、階層３が構成され、セグメント#31とセグメント#32の２セグメントにより、階層４が構成される。そして、セグメント#33とセグメント#34の２セグメントにより、階層５が構成される。
【００５９】
このように、周波数分割で得られる、１又は複数のセグメントから階層が構成され、それらの階層ごとに、例えば、異なるサービスのデータを伝送することができる。これにより、例えば、ある放送局が複数のセグメントを使用するといった運用も可能となる。なお、現行のISDB-Tでは、13セグメントに分割され、伝送可能な階層数は、最大で３階層とされていたが、本技術においては、伝送可能なセグメント数と階層数が増加して、より多くの階層を扱うことが可能となるので、より多様なサービスを提供することができる。
【００６０】
次に、物理層のフレームの構造について説明するが、ここでは、比較のために、まず、図５を参照して、現行の物理層のフレームの構造について説明してから、図６を参照して、本技術の物理層のフレームの構造について説明する。
【００６１】
（現行の物理層のフレームの構造）
図５は、現行の物理層のフレームの構造と、制御情報（シグナリング）の配置を示す図である。
【００６２】
図５には、横方向を、周波数方向に応じたキャリア番号とし、縦方向を、時間方向に応じたシンボル番号としたときのセグメントの構成を示している。ただし、現行のISDB-Tの場合、縦方向のシンボル番号は、OFDMシンボル番号とされる。また、伝送パラメータは、モードごとに異なるが、例えば、モード３が採用された場合、フレーム当たりのシンボル数は、204とされ、キャリア番号は、0から431とされる。
【００６３】
図５において、現行の物理層フレームには、TMCC情報と、AC(Auxiliary Channel)情報が含まれる。
【００６４】
TMCC情報は、階層ごとに、復調処理や復号処理などを行うための情報を含む。TMCC情報は、固定長の情報である。また、TMCC情報には、パリティが付加されている。
【００６５】
AC情報は、放送に関する付加情報であって、例えば、伝送制御に関する付加情報又は地震動警報情報を含む。AC情報は、固定長の情報である。また、AC情報には、パリティが付加されている。
【００６６】
なお、図５においては、TMCC情報とAC情報以外の部分の記載は省略しているが、物理層フレームにおける、TMCC情報とAC情報以外の部分には、キャリアシンボル（インターリーブ後のデータセグメント内のキャリアシンボル）やCP(Continual Pilot)が配置される。また、現行のISDB-Tのフレーム構成については、上記の非特許文献１の「3.12 フレーム構成」などに記載されているため、ここでは、その詳細な内容の説明は省略するものとする。
【００６７】
（本技術の物理層のフレームの構造）
図６は、本技術の物理層のフレームの構造と、制御情報（シグナリング）の配置の例を示す図である。
【００６８】
図６には、図５の構成と同様に、横方向の周波数方向に応じたキャリア番号とし、縦方向を、時間方向に応じたシンボル番号としたときのセグメントの構成を示している。
【００６９】
図６において、本技術の物理層フレームには、TMCC情報と、AC情報が含まれる。なお、以下の説明では、本技術のTMCC情報を、現行のTMCC情報と区別するため、「本技術TMCC情報」と称する。また、本技術のAC情報を、現行のAC情報と区別するため、「本技術AC情報」と称する。
【００７０】
本技術TMCC情報は、階層ごとに、復調処理や復号処理などを行うための情報のほか、物理層よりも上位層の制御情報の存在の有無を示す情報（以下、制御情報存在情報という）などを含む。この制御情報存在情報により、物理層で、上位層の制御情報（例えば、TLV-SI）の存在の有無が認識できるので、例えば、選局時の選局処理を容易に行うことが可能となる。
【００７１】
また、本技術TMCC情報は、可変長の情報である。そのため、本技術では、固定長のTMCC長さ情報を規定して、可変長となる本技術TMCC情報の長さが規定されるようにすることで、本技術TMCC情報を取得できるようにする。これにより、本技術TMCC情報を、可変長の拡張性のある情報として取り扱うことができる。
【００７２】
本技術TMCC情報と、TMCC長さ情報には、パリティが付加される。また、物理層フレームにおいて、本技術TMCC情報と、TMCC長さ情報を含むデータの長さを合わせる場合には、パディング（Padding）を行うか、あるいは他のデータ（other data）を挿入することで、対応することができる。
【００７３】
なお、本技術TMCC情報の詳細な内容については、図７乃至図１２を参照して後述する。また、TMCC長さ情報の詳細な内容については、図１３を参照して後述する。
【００７４】
本技術AC情報は、放送に関する付加情報であって、例えば、伝送制御に関する付加情報又は地震動警報情報を含む。また、本技術AC情報は、可変長の情報である。そのため、本技術では、固定長のAC長さ情報を規定して、可変長となる本技術AC情報の長さが規定されるようにすることで、本技術AC情報を取得できるようにする。これにより、本技術AC情報を、可変長の拡張性のある情報として取り扱うことができる。
【００７５】
本技術AC情報と、AC長さ情報には、パリティが付加される。また、物理層フレームにおいて、本技術AC情報と、AC長さ情報を含むデータの長さを合わせる場合には、パディング（Padding）を行うか、あるいは他のデータ（other data）を挿入することで、対応することができる。
【００７６】
以上のように、本技術TMCC情報と本技術AC情報は、現行のTMCC情報とAC情報とは異なり、固定長の情報ではなく、可変長の情報とされる。そのため、可変長の拡張性のある情報として扱うことができるので、例えば、本技術TMCC情報に、制御情報存在情報などを容易に追加することができる。その結果、より柔軟に、デジタルテレビ放送の運用を行うことができる。また、本技術TMCC情報と本技術AC情報は、可変長であるため、その長さが短い場合には、取得するまでの時間を短縮することができる。
【００７７】
（本技術TMCC情報のシンタックスの例）
図７は、図６に示した本技術TMCC情報のシンタックスの例を示す図である。なお、各階層の変調パラメータについては、図８乃至図１２を適宜参照しながら、説明するものとする。
【００７８】
13ビットのOffset_TLV_packetは、物理層フレームの先頭からのTLVパケットのオフセットを示す。このオフセットは、バイト単位となる。詳細は、図１７を参照して後述するが、物理層フレームの境界と、TLVパケットの境界とが一致していない場合に、そのずれ量に応じたオフセット値を、ここに設定することができる。
【００７９】
6ビットのNUM_LAYERは、階層数が指定される。この階層数としては、例えば、最大で64階層まで設定可能となる。このNUM_LAYERで指定される階層数に応じた階層ループ内に、階層ごとの、num_segment，layer_fft_size，layer_mod，layer_cod，layer_gi，packet_type，tlv_si_exist_flagがそれぞれ配置される。
【００８０】
6ビットのnum_segmentは、対象の階層のセグメント数が指定される。
【００８１】
2ビットのlayer_fft_sizeは、対象の階層のFFTサイズが指定される。このFFTサイズとしては、例えば、図８に示すように、8K，16K，32Kなどを指定することができる。
【００８２】
3ビットのlayer_modは、対象の階層のキャリア変調方式が指定される。このキャリア変調方式としては、例えば、図９に示すように、QPSK，16QAM，64QAM-NUC，256QAM-NUC，1024QAM-NUC，4096QAM-NUCなどを指定することができる。
【００８３】
3ビットのlayer_codは、対象の階層のエラー訂正のコードレートが指定される。このコードレートとしては、例えば、図１０に示すように、1/2，2/3，3/4，5/6，7/8などを指定することができる。
【００８４】
3ビットのlayer_giは、対象の階層のガードインターバルが指定される。このガードインターバルとしては、例えば、図１１に示すように、1/4，1/8，1/16，1/32などを指定することができる。
【００８５】
3ビットのpacket_typeは、対象の階層で、伝送するデータの種類が指定される。このデータ種類としては、例えば、図１２に示すように、MPEG2-TS方式や、TLV/MMT方式が指定される。
【００８６】
例えば、次世代の地上デジタルテレビ放送の放送方式として、TLV/MMT方式が採用される場合には、packet_typeとして、"1"が設定される。また、MPEG2-TS方式が採用される場合には、packet_typeとして、"0"が設定される。このように、packet_typeによって、伝送するデータの種類を設定することができるため、階層ごとに、TLV/MMT方式やMPEG2-TS方式など、様々な形式のデータを伝送することが可能となる。
【００８７】
なお、TLV/MMT方式やMPEG2-TS方式は、伝送するデータの形式の一例であって、例えば、他の形式のデータが伝送される場合には、2〜7のReservedのビットを利用することで、他の種類のデータが設定されるようにすることができる。
【００８８】
1ビットのtlv_si_exist_flagは、対象の階層に、上位層の制御情報が含まれていることを示すフラグである。すなわち、このtlv_si_exist_flagが、制御情報存在情報に相当している。例えば、tlv_si_exist_flagとして、"0"が設定された場合、対象の階層には、上位層の制御情報が含まれていないことを示す。一方で、例えば、tlv_si_exist_flagとして、"1"が設定された場合、対象の階層には、上位層の制御情報が含まれていることを示す。
【００８９】
具体的には、例えば、packet_typeとして"1"，tlv_si_exist_flagとして"1"がそれぞれ設定された場合、対象の階層に、TLV/MMT方式の上位層の制御情報として、TLV-SI（例えば、TLV-NIT，AMT）が含まれていることを示している。
【００９０】
また、例えば、packet_typeとして"0"，tlv_si_exist_flagとして"1"がそれぞれ設定された場合、対象の階層に、MPEG2-TS方式の上位層の制御情報として、PSI(Program Specific Information)が含まれていることを示している。このPSIには、PAT(Program Association Table)，NIT(Network Information Table)，CAT(Conditional Access Table)等が含まれる。
【００９１】
このように、所定の周波数帯域（例えば、6MHz）を周波数分割して、１又は複数のセグメントにより階層を構成する場合に、階層ごとに、上位層の制御情報（例えば、TLV-SI）の存在の有無を示す制御情報存在情報（tlv_si_exist_flag）を設定できるので、例えば、選局時の選局処理等の処理を容易に行うことが可能となる。特に、１つの周波数帯域を、複数の放送局が共有し、かつそれぞれの放送局が、複数の階層を使用する運用も想定されるが、このような運用にも柔軟に対応して、選局処理等の処理が容易に行われるようにすることができる。
【００９２】
以上が、階層ループ内のフィールドとされる。
【００９３】
Parityは、本技術TMCC情報に付加されるパリティを表している。このパリティを用いた巡回冗長検査（CRC：Cyclic Redundancy Check）によって、本技術TMCC情報の誤り検出が行われる。なお、このパリティは、後述するTMCC長さ情報のLEN_TMCC_Parity（図１３）で指定されるパリティ長からなる。ただし、このパリティ長は、あらかじめ対象の規格で規定された固定長とすることもできる。
【００９４】
なお、図７において、Mnemonicとして、uimsbf(unsigned integer most significant bit first)が指定された場合、ビット演算をして、整数として扱われることを意味している。また、bslbf(bit string, left bit first)が指定された場合には、ビット列として扱われることを意味する。これらについては、後述する図１３や図１５についても同様とされる。
【００９５】
（TMCC長さ情報のシンタックス）
図１３は、図６に示したTMCC長さ情報のシンタックスの例を示す図である。
【００９６】
16ビットのSYNCは、物理層フレームの先頭を検出するための同期信号である。受信装置２０（の復調部２１２）においては、物理層フレームを処理するに際し、このSYNCワードにより、物理層フレームの先頭を容易に判別することが可能となる。つまり、現行のTMCC情報を取得するためには、フレーム長の期間信号を受信する必要があり、フレーム長期間の遅延が発生していたが、このSYNCワードを用いることで、そのような遅延を抑制することができる。
【００９７】
8ビットのLEN_TMCCは、本技術TMCC情報の長さが指定される。この長さとしては、最大で、256ビットまでの本技術TMCC情報に対応することができる。ただし、LEN_TMCCとして、"0"が設定された場合には、本技術TMCC情報が含まれていないことを意味する。
【００９８】
8ビットのLEN_TMCC_Parityは、本技術TMCC情報のパリティ長が指定される。このパリティ長としては、最大で、256ビットまで対応することができる。なお、LEN_TMCC_Parityは、あらかじめ対象の規格により、固定値として規定されている場合には、指定する必要はない。
【００９９】
すなわち、TMCC長さ情報では、本技術TMCC情報に関する長さの情報として、対象の規格でパリティ長が固定値として規定されていない場合には、可変長の本技術TMCC情報の長さとともに、本技術TMCC情報のパリティ長が指定される。
【０１００】
16ビットのParityは、TMCC長さ情報に付加されるパリティを表している。このパリティを用いた巡回冗長検査（CRC）によって、TMCC長さ情報の誤り検出が行われる。この誤り検出で、データが破損されている場合には、対象の本技術TMCC情報は、破棄される。
【０１０１】
以上のように、固定長のTMCC長さ情報を規定して、可変長の本技術TMCC情報に関する長さの情報（LEN_TMCC，LEN_TMCC_Parity）が規定されるようにすることで、物理層フレームに含まれる本技術TMCC情報を得ることができる。
【０１０２】
なお、上述した説明では、本技術TMCC情報の構造を説明したが、本技術TMCC情報以外の制御情報（シグナリング）の構造を、上述した本技術TMCC情報の構造と同様の構造とすることで、同様の効果を得ることができる。例えば、可変長の本技術AC情報に、制御情報存在情報（tlv_si_exist_flag）を含めることでも、本技術TMCC情報に制御情報存在情報を含めた場合と同様の効果を得ることができる。また、AC長さ情報は、TMCC長さ情報と同様の構造とされ、本技術TMCC情報に関する長さの情報の代わりに、本技術AC情報に関する長さの情報が含まれる。
【０１０３】
（セグメントと階層との関係）
図１４は、セグメントと階層との関係を示す図である。
【０１０４】
図１４においては、図１４のＡとして、物理層のセグメント配置が示され、図１４のＢとして、論理的なセグメント配置が示されている。
【０１０５】
図１４のＡには、物理層のセグメント配置として、周波数分割多重化方式（FDM）が採用されている場合に、所定の周波数帯域が、35セグメントに周波数分割された場合を例示している。ここでは、上述した図４と同様に、35個のセグメントのうち、図中の中央の１セグメントが、セグメント#0とされ、その左右のセグメントが、セグメント#1，#2とされ、さらに、その左右の関係を繰り返していくことで、図中の最も左側の１セグメントが、セグメント#33とされ、図中の最も右側の１セグメントが、セグメント#34とされる。
【０１０６】
また、図１４のＢには、論理的なセグメント配置として、図７に示した本技術TMCC情報により、階層ごとのセグメントが指定された場合を示している。すなわち、図７の本技術TMCC情報においては、階層ループ内の6ビットのnum_segmentにより、各階層のセグメント数が指定されるため、階層順に、num_segmentに応じたセグメント数が指定されている。
【０１０７】
具体的には、図１４のＢでは、階層１乃至階層５の５階層の場合における、論理的なセグメント配置を表しているので、図中の左側から右側に向かう方向に、セグメント#0乃至#34を順に並べたときに、セグメント#0乃至#2の３セグメントにより、階層１が構成される。
【０１０８】
また、図中の左側から右側に向かって昇順に並べられたセグメント#0乃至#34のうち、セグメント#3乃至#6の４セグメントにより、階層２が構成され、セグメント#7乃至#30の24セグメントにより、階層３が構成され、セグメント#31乃至#32の２セグメントにより、階層４が構成され、セグメント#33乃至#34の２セグメントにより、階層５が構成される。
【０１０９】
このように、図７に示した本技術TMCC情報を用いた場合には、図１４のＢに示した論理的なセグメント配置により各階層が表され、階層ごとに、制御情報存在情報（tlv_si_exist_flag）を指定することができる。これにより、物理層フレームに含まれる本技術TMCC情報を処理する際にして、例えば、階層１乃至４には、上位層の制御情報（例えば、TLV-SI）が含まれる一方で、階層５には、上位層の制御情報（例えば、TLV-SI）が含まれないなどを、容易に判別することができる。
【０１１０】
（本技術TMCC情報のシンタックスの他の例）
図１５は、図６に示した本技術TMCC情報のシンタックスの他の例を示す図である。なお、図１５において、上述した図７と同一のフィールドについては、繰り返しになるので、その説明は適宜省略するものとする。
【０１１１】
図１５においても、NUM_LAYERで指定される階層数に応じた階層ループ内に、階層ごとの、num_segment，layer_fft_size，layer_mod，layer_cod，layer_gi，packet_type，tlv_si_exist_flagが配置される。
【０１１２】
図１５の階層ループ内に配置される、layer_fft_size，layer_mod，layer_cod，layer_gi，packet_type，tlv_si_exist_flagについては、図７の階層ループ内の変調パラメータや、制御情報存在情報（tlv_si_exist_flag）などと同様とされる。
【０１１３】
一方で、図１５の階層ループ内に配置されるnum_segmentは、図７の階層ループ内に配置されるnum_segmentとは異なっている。すなわち、num_segmentは、そのビット数が、6ビットから35ビットに変更され、さらに、Mnemonicが、uimsbfから、bslbfに変更されている。これにより、35ビットのnum_segmentは、ビット列として扱われることを表している。
【０１１４】
そして、num_segmentのビット列の各ビットが、１つのセグメントに対応するようにすることで、num_segmentの35ビットで、35個のセグメントに関する情報を表現することができる。これにより、各階層が使用するセグメントを、セグメント単位で指定することができる。その具体例について、図１６を参照して説明する。
【０１１５】
（セグメントと階層との関係）
図１６は、セグメントと階層との関係を示す図である。
【０１１６】
図１６においては、図１６のＡとして、物理層のセグメント配置が示され、図１６のＢとして、論理的なセグメント配置が示されている。図１６のＡの物理層のセグメント配置は、図１４のＡの物理層のセグメント配置と同様である。
【０１１７】
図１６のＢには、論理的なセグメント配置として、図１５に示した本技術TMCC情報により、階層ごとのセグメントが指定された場合を示している。すなわち、図１５の本技術TMCC情報においては、階層ループ内のnum_segmentによる35ビットのビット列により、各階層が使用するセグメントが、セグメント単位で指定されている。
【０１１８】
具体的には、図１６のＢでは、階層１乃至階層５の５階層の場合における、論理的なセグメント配置を表しているので、図中の左側から右側に向かう方向に、セグメント#0乃至#34を順に並べたときに、階層１のnum_segmentによる35ビットのビット列において、ビットが立っているセグメント#0乃至#2の３セグメントにより、階層１が構成される。
【０１１９】
同様に、階層２のnum_segmentによる35ビットのビット列において、ビットが立っているセグメント#3乃至#6の４セグメントにより、階層２が構成される。また、階層３のnum_segmentによる35ビットのビット列において、ビットが立っているセグメント#7乃至#30の24セグメントにより、階層３が構成される。
【０１２０】
また、階層４のnum_segmentによる35ビットのビット列において、ビットが立っているセグメント#31乃至#32の２セグメントにより、階層４が構成される。さらに、階層５のnum_segmentによる35ビットのビット列において、ビットが立っているセグメント#33乃至#34の２セグメントにより、階層５が構成される。
【０１２１】
このように、図１５に示した本技術TMCC情報を用いた場合には、図１６のＢに示した論理的なセグメント配置により各階層が表され、階層ごとに、制御情報存在情報（tlv_si_exist_flag）を指定することができる。これにより、物理層フレームに含まれる本技術TMCC情報を処理する際にして、例えば、階層２乃至５には、上位層の制御情報（例えば、TLV-SI）が含まれる一方で、階層１には、上位層の制御情報（例えば、TLV-SI）が含まれないなどを、容易に判別することができる。
【０１２２】
（TLVパケットのオフセットの具体例）
次に、図１７を参照して、図７及び図１５に示した本技術TMCC情報に含まれる、TLVパケットのオフセット（Offset_TLV_packet）について説明する。図１７には、複数階層の場合の時刻情報の送出タイミングを示している。
【０１２３】
なお、図１７においては、物理層フレーム（Physical Frame）の先頭に、その先頭の時刻を示すNTP形式の時刻情報を含めることで、時刻情報の伝送を効率的に行えるようにしている。ここで、NTP(Network Time Protocol)は、ネットワークに接続される機器において、機器が持つ時計を、正しい時刻に同期するための通信プロトコルである。
【０１２４】
図１７においては、上側に、送信装置１０で処理されるデータが模式的に表され、下側に、受信装置２０で処理されるデータが模式的に表されている。また、図１７において、横方向が時間を表しており、その方向は、図中の左側から右側に向かう方向とされる。
【０１２５】
まず、送信装置１０で処理されるデータについて説明する。
【０１２６】
図１７においては、TLVパケットを、図中の「Data」で表している。また、時刻情報が、図中の「NTP」で表されている。
【０１２７】
OFDMシンボルを、図中の「Symbol」で表している。Symbol#0乃至Symbol#nのn+1個のOFDMシンボルで、１つの物理層フレームが構成される。つまり、この物理層フレームが、データを伝送する単位となる。
【０１２８】
ただし、放送信号の多重化の方式として、周波数分割多重化方式（FDM）を採用した場合、OFDMシンボルは、さらにセグメント単位に分割される。セグメントを、図中の「Seg」で表している。Seg#0乃至Seg#mのm+1個のセグメントで、１つのOFDMシンボルが構成される。
【０１２９】
ここで、図１７においては、時刻情報が、物理層フレームの先頭になるように挿入される。この時刻情報には、NTPで規定される情報として、物理層フレームの先頭の時刻が含まれる。
【０１３０】
図１７においては、TLVパケットのcase1として、物理層フレームの境界と、TLVパケットの境界とが一致している場合が示されている。このcase1の場合には、物理層フレームとTLVパケットで境界が一致しているため、物理層フレームの先頭（境界）に、時刻情報が挿入される。
【０１３１】
ただし、図１７の例では、階層１乃至階層３の３階層の場合を示しているので、１つの物理層フレームには、階層１乃至階層３の階層ごとのTLVパケットが含まれている。
【０１３２】
ここでは、階層１乃至階層３の階層ごとに、物理層フレームの先頭の時刻を示す時刻情報が挿入されるようにする。例えば、階層１について、複数のTLVパケット（Data#0乃至Data#3）の先頭に、時刻情報が挿入される。また、例えば、階層２について、複数のTLVパケット（Data#4乃至Data#y）の先頭に、時刻情報が挿入され、階層３について、複数のTLVパケット（Data#y+1乃至Data#z）の先頭に、時刻情報が挿入される。
【０１３３】
また、図１７においては、TLVパケットのcase2として、物理層フレームの境界と、TLVパケットの境界とが一致していない場合が示されている。このcase2の場合には、物理層フレームとTLVパケットで境界が一致していないため、物理層フレームの先頭（境界）が、TLVパケット（例えばData#a）の途中となって、当該TLVパケットの後に、時刻情報が挿入される。
【０１３４】
TLVパケットのcase2の場合においても、TLVパケットのcase1の場合と同様に、階層１乃至階層３の階層のデータ（複数のTLVパケット）ごとに、物理層フレームの先頭の時刻を示す時刻情報が挿入される。
【０１３５】
このように、送信装置１０では、物理層フレームの先頭に、物理層フレームの先頭の時刻を示す時刻情報が挿入されるが、物理層フレームとTLVパケットで境界が一致している場合と、境界が一致していない場合があり、それらの境界が一致していない場合には、時刻情報の挿入位置が境界からずれた位置（途中のTLVパケットの分だけずれた位置）となる。そして、図１７の矢印Ａで示すように、このずれ量に応じたオフセット値が、TLVパケットのオフセット（Offset_TLV_packet）として、本技術TMCC情報（図７又は図１５）に含められるようにする。
【０１３６】
次に、受信装置２０で処理されるデータについて説明する。
【０１３７】
上述したように、１つの物理層フレームからは、複数のTLVパケットとともに、各階層のデータ（複数のTLVパケット）の先頭に配置された時刻情報が得られる。この時刻情報は、当該物理層フレームの先頭の時刻を示している。すなわち、複数階層となる場合に、各階層のデータの先頭に、物理層フレームの先頭の時刻を示す時刻情報が挿入されているため、階層ごとに、時刻情報が得られる。
【０１３８】
例えば、図１７においては、TLVパケットのcaseAとして、階層１乃至階層３の３階層のうち、階層３のみが選択された場合が示されている。
【０１３９】
このcaseAの場合に、上述のcase1で、物理層フレームとTLVパケットで境界が一致しているとき、階層３のデータの先頭に、時刻情報が挿入されているので、受信装置２０では、階層３のデータの先頭に挿入された時刻情報が示す物理層フレームの先頭の時刻を参照して、クロック同期（クロックリカバリ）を行うことができる。
【０１４０】
一方で、このcaseAの場合に、上述のcase2で、物理層フレームとTLVパケットで境界が一致していないとき、時刻情報の挿入位置が、物理層フレームの境界からずれた位置となる。このとき、本技術TMCC情報に、TLVパケットのオフセット（Offset_TLV_packet）が含まれているので、受信装置２０では、このオフセットを考慮に入れつつ、階層３のデータの先頭に挿入された時刻情報が示す物理層フレームの先頭の時刻を参照することで、クロック同期（クロックリカバリ）を行うことができる。
【０１４１】
また、例えば、図１７においては、TLVパケットのcaseBとして、階層１乃至階層３の３階層のうち、階層２と階層３が選択された場合が示されている。
【０１４２】
このcaseBの場合に、上述のcase1で、物理層フレームとTLVパケットで境界が一致しているとき、階層２のデータの先頭に、時刻情報が挿入されているので、受信装置２０では、階層２のデータの先頭に挿入された時刻情報が示す物理層フレームの先頭の時刻を参照して、クロック同期（クロックリカバリ）を行うことができる。
【０１４３】
一方で、このcaseBの場合に、上述のcase2で、物理層フレームとTLVパケットで境界が一致していないとき、時刻情報の挿入位置が、物理層フレームの境界からずれた位置となる。このとき、本技術TMCC情報に、TLVパケットのオフセット（Offset_TLV_packet）が含まれているので、受信装置２０では、このオフセットを考慮に入れつつ、階層２のデータの先頭に挿入された時刻情報が示す物理層フレームの先頭の時刻を参照して、クロック同期（クロックリカバリ）を行うことができる。
【０１４４】
なお、ここで説明したTLVパケットのcaseA，caseBは、一例であって、例えば、階層１乃至階層３のすべての階層が選択された場合などであっても、同様に、階層ごとに挿入される時刻情報が示す物理層フレームの先頭の時刻を参照することで、クロック同期を行うことが可能となる。
【０１４５】
このように、物理層フレームとTLVパケットで境界が一致している場合だけでなく、物理層フレームとTLVパケットで境界が一致していない場合でも、本技術TMCC情報に含まれる、TLVパケットのオフセット（Offset_TLV_packet）を用いることで、送信装置１０と受信装置２０との間では、NTP等の時刻情報によるクロック同期が実現され、受信装置２０では、階層のデータの先頭に含まれる時刻情報ごとに、複数のTLVパケットを処理することが可能となる。
【０１４６】
＜４．本技術TMCC情報対応処理の流れ＞
【０１４７】
次に、図１８のフローチャートを参照して、本技術TMCC情報を用いた送信側と受信側の処理の流れを説明する。
【０１４８】
なお、図１８において、ステップＳ１０１乃至Ｓ１０３の処理は、図１の送信装置１０により実行される送信側の処理である。また、ステップＳ２０１乃至Ｓ２０３の処理は、図１の受信装置２０により実行される受信側の処理である。
【０１４９】
ステップＳ１０１において、制御情報生成部１１２は、本技術TMCC情報を生成する。ここで、本技術TMCC情報には、階層ごとに、変調パラメータのほか、上位層の制御情報（例えば、TLV-SI等）の存在の有無を示す制御情報存在情報などが含まれる。
【０１５０】
ステップＳ１０２において、フレーム生成部１１３は、ステップＳ１０１の処理で生成された本技術TMCC情報を含む物理層フレームを生成する。ただし、図６に示したように、ステップＳ１０２の処理で生成される、物理層フレームにおいては、可変長の本技術TMCC情報に対し、固定長のTMCC長さ情報が配置される。
【０１５１】
ステップＳ１０３において、変調部１１４は、ステップＳ１０２の処理で生成された物理層フレームに対し、必要な処理を施して、それにより得られる放送信号を、アンテナ１２１を介して送信する。
【０１５２】
ステップＳ２０１において、RF部２１１は、アンテナ２２１を介して、送信装置１０から送信されてくる放送信号を受信する。
【０１５３】
ステップＳ２０２において、復調部２１２は、ステップＳ２０１の処理で受信された放送信号から得られる物理層フレームを処理する。この物理層フレームを処理することで、上位層の制御情報の存在の有無を示す制御情報存在情報を含む本技術TMCC情報が得られる。ただし、図６に示したように、ステップＳ２０２で処理される物理層フレームにおいては、可変長の本技術TMCC情報に対し、固定長のTMCC長さ情報が配置されているため、TMCC長さ情報に含まれる情報（LEN_TMCC，LEN_TMCC_Parity）に従い、本技術TMCC情報が得られる。
【０１５４】
ステップＳ２０３において、復調部２１２は、ステップＳ２０２の処理で得られる本技術TMCC情報に基づいて、所定の処理を行う。
【０１５５】
ここでは、例えば、本技術TMCC情報に含まれる制御情報存在情報によって、階層ごとに、上位層の制御情報が存在するかどうかを判別できるので、当該上位層の制御情報が存在すると判別された階層のデータを処理することで、上位層の制御情報（例えば、TLV-SI等）が得られる。そして、後段の処理部２１３では、このようにして得られる上位層の制御情報（例えば、TLV-SI等）に基づいて、選局処理などを行うことができる。
【０１５６】
このように、物理層の制御情報（シグナリング）である本技術TMCC情報に、階層ごとに、上位層の制御情報の有無を示す制御情報存在情報を含めることで、複数の階層において、上位層の制御情報を含む階層を判別できるため、例えば、選局処理等の処理を、迅速、かつ容易に行うことができる。
【０１５７】
以上、本技術TMCC情報対応処理の流れを説明した。
【０１５８】
＜５．変形例＞
【０１５９】
上述した説明としては、デジタルテレビ放送の規格として、日本等で採用されている方式であるISDB(Integrated Services Digital Broadcasting)を説明したが、本技術は、米国等が採用する方式であるATSC(Advanced Television Systems Committee)や、欧州の各国等が採用する方式であるDVB(Digital Video Broadcasting)などに適用するようにしてもよい。
【０１６０】
すなわち、ATSCやDVBでは、放送信号の多重化の方式として、周波数分割多重化方式（FDM）ではなく、時分割多重化方式（TDM：Time Division Multiplexing）が採用されるが、この時分割多重化方式（TDM）を採用した場合でも、本技術を適用することができる。また、上述した階層は、概念的にはPLP(Physical Layer Pipe)として捉えることも可能である。この場合、複数階層は、M-PLP(Multiple-PLP)であるとも言える。
【０１６１】
また、デジタルテレビ放送の規格としては、地上波放送のほか、放送衛星（BS：Broadcasting Satellite)や通信衛星（CS：Communications Satellite）等を利用した衛星放送や、ケーブルテレビ（CATV）等の有線放送などの規格にも適用することができる。
【０１６２】
また、上述したパケットやフレーム、制御情報などの名称は、一例であって、他の名称が用いられる場合がある。ただし、これらの名称の違いは、形式的な違いであって、対象のパケットやフレーム、制御情報などの実質的な内容が異なるものではない。例えば、TLVパケットは、ALP(ATSC Link-layer Protocol)パケットやGenericパケットなどを称される場合がある。また、フレームとパケットは、同じ意味で用いられる場合がある。
【０１６３】
上述した説明では、時刻情報として、NTPで規定される時刻の情報が用いられる場合を説明したが、それに限らず、例えば、PTP(Precision Time Protocol)や3GPP(Third Generation Partnership Project)で規定されている時刻の情報や、GPS(Global Positioning System)情報に含まれる時刻の情報、その他独自に決定された形式の時刻の情報等の任意の時刻の情報を用いることができる。
【０１６４】
また、上述した説明では、時刻情報は、物理層フレームの先頭の時刻を示すとして説明したが、それに限らず、ストリームの他の位置の時刻を示すようにしてもよい。また、物理層フレームにプリアンブルを設ける構造が採用された場合には、当該プリアンブルに、時刻情報を含めるようにしてもよい。
【０１６５】
また、本技術は、伝送路として、放送網以外の伝送路、すなわち、例えば、インターネットや電話網等の通信回線（通信網）などを利用することを想定して規定されている所定の規格（デジタルテレビ放送の規格以外の規格）などにも適用することができる。その場合には、伝送システム１（図１）の伝送路３０として、インターネットや電話網などの通信回線が利用され、送信装置１０は、インターネット上に設けられたサーバとすることができる。そして、当該通信サーバと、受信装置２０とが、伝送路３０（通信回線）を介して双方向の通信を行うことになる。
【０１６６】
＜６．コンピュータの構成＞
【０１６７】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１９は、上述した一連の処理をプログラムにより実行するコンピュータのハードウェアの構成例を示す図である。
【０１６８】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１６９】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１７０】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１７１】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１７２】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１７３】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１７４】
なお、本技術の実施の形態は、上述した実施の形態に限定されるものではなく、本技術の要旨を逸脱しない範囲において種々の変更が可能である。
【０１７５】
また、本技術は、以下のような構成をとることができる。
【０１７６】
（１）
周波数分割多重化方式（FDM：Frequency Division Multiplexing）で伝送される放送信号を受信する受信部と、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する処理部と
を備える受信装置。
（２）
前記第１の制御情報は、階層ごとに、前記制御情報存在情報を含む
（１）に記載の受信装置。
（３）
前記第１の制御情報は、前記物理層のフレームに含まれる可変長の情報である
（２）に記載の受信装置。
（４）
前記物理層のフレームは、前記第１の制御情報の長さを示す長さ情報を含む
（３）に記載の受信装置。
（５）
前記長さ情報は、前記物理層のフレームの先頭を検出するための同期信号を含む
（４）に記載の受信装置。
（６）
前記階層は、１又は複数のセグメントから構成され、
前記第１の制御情報は、階層ごとに、セグメントの個数を示す情報を含む
（２）乃至（５）のいずれかに記載の受信装置。
（７）
前記階層は、１又は複数のセグメントから構成され、
前記第１の制御情報は、階層ごとに、各階層が使用するセグメントを、セグメント単位で指定可能な情報を含む
（２）乃至（５）のいずれかに記載の受信装置。
（８）
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
（２）乃至（７）のいずれかに記載の受信装置。
（９）
前記第１の制御情報は、階層ごとの変調パラメータを含む制御情報であり、
前記第２の制御情報は、IP(Internet Protocol)パケットを含む可変長パケットの制御情報である
（１）乃至（８）のいずれかに記載の受信装置。
（１０）
受信装置のデータ処理方法において、
前記受信装置が、
周波数分割多重化方式（FDM）で伝送される放送信号を受信し、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する
ステップを含むデータ処理方法。
（１１）
物理層の制御情報である第１の制御情報であって、前記物理層よりも上位の層の制御情報である第２の制御情報の存在の有無を示す制御情報存在情報を含む前記第１の制御情報を生成する生成部と、
周波数分割多重化方式（FDM）により、前記第１の制御情報と前記第２の制御情報を含む放送信号を送信する送信部と
を備える送信装置。
（１２）
前記第１の制御情報は、階層ごとに、前記制御情報存在情報を含む
（１１）に記載の送信装置。
（１３）
前記第１の制御情報は、前記物理層のフレームに含まれる可変長の情報である
（１２）に記載の送信装置。
（１４）
前記物理層のフレームは、前記第１の制御情報の長さを示す長さ情報を含む
（１３）に記載の送信装置。
（１５）
前記長さ情報は、前記物理層のフレームの先頭を検出するための同期信号を含む
（１４）に記載の送信装置。
（１６）
前記階層は、１又は複数のセグメントから構成され、
前記第１の制御情報は、階層ごとに、セグメントの個数を示す情報を含む
（１２）乃至（１５）のいずれかに記載の送信装置。
（１７）
前記階層は、１又は複数のセグメントから構成され、
前記第１の制御情報は、階層ごとに、各階層が使用するセグメントを、セグメント単位で指定可能な情報を含む
（１２）乃至（１５）のいずれかに記載の送信装置。
（１８）
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
（１２）乃至（１７）のいずれかに記載の送信装置。
（１９）
前記第１の制御情報は、階層ごとの変調パラメータを含む制御情報であり、
前記第２の制御情報は、IPパケットを含む可変長パケットの制御情報である
（１１）乃至（１８）のいずれかに記載の送信装置。
（２０）
送信装置のデータ処理方法において、
前記送信装置が、
物理層の制御情報である第１の制御情報であって、前記物理層よりも上位の層の制御情報である第２の制御情報の存在の有無を示す制御情報存在情報を含む前記第１の制御情報を生成し、
周波数分割多重化方式（FDM）により、前記第１の制御情報と前記第２の制御情報を含む放送信号を送信する
ステップを含むデータ処理方法。
【符号の説明】
【０１７７】
１  伝送システム，  １０  送信装置，  ２０  受信装置，  ３０  伝送路，  １１１  パケット処理部，  １１２  制御情報生成部，  １１３  フレーム生成部，  １１４  変調部，  ２１１  RF部，  ２１２  復調部，  ２１３  処理部，  １０００  コンピュータ，  １００１  CPU
【図１】
2018008428.tif 000003
【図２】
2018008428.tif 000004
【図３】
2018008428.tif 000005
【図４】
2018008428.tif 000006
【図５】
2018008428.tif 000007
【図６】
2018008428.tif 000008
【図７】
2018008428.tif 000009
【図８】
2018008428.tif 000010
【図９】
2018008428.tif 000011
【図１０】
2018008428.tif 000012
【図１１】
2018008428.tif 000013
【図１２】
2018008428.tif 000014
【図１３】
2018008428.tif 000015
【図１４】
2018008428.tif 000016
【図１５】
2018008428.tif 000017
【図１６】
2018008428.tif 000018
【図１７】
2018008428.tif 000019
【図１８】
2018008428.tif 000020
【図１９】
2018008428.tif 000021
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
周波数分割多重化方式（ＦＤＭ：Ｆｒｅｑｕｅｎｃｙ  Ｄｉｖｉｓｉｏｎ  Ｍｕｌｔｉｐｌｅｘｉｎｇ）で伝送される放送信号を受信する受信部と、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する処理部と
を備え、
前記第１の制御情報は、前記物理層のフレームに含まれる可変長の情報であって、階層ごとに、前記制御情報存在情報を含む
受信装置。
【請求項２】
（削除）
【請求項３】
（削除）
【請求項４】
前記物理層のフレームは、前記第１の制御情報の長さを示す長さ情報を含む
請求項１に記載の受信装置。
【請求項５】
前記長さ情報は、前記物理層のフレームの先頭を検出するための同期信号を含む
請求項４に記載の受信装置。
【請求項６】
前記階層は、１又は複数のセグメントから構成され、
前記第１の制御情報は、階層ごとに、セグメントの個数を示す情報を含む
請求項１に記載の受信装置。
【請求項７】
前記階層は、１又は複数のセグメントから構成され、
前記第１の制御情報は、階層ごとに、各階層が使用するセグメントを、セグメント単位で指定可能な情報を含む
請求項１に記載の受信装置。
【請求項８】
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
請求項１に記載の受信装置。
【請求項９】
前記第１の制御情報は、階層ごとの変調パラメータを含む制御情報であり、
前記第２の制御情報は、ＩＰ（Ｉｎｔｅｒｎｅｔ  Ｐｒｏｔｏｃｏｌ）パケットを含む可変長パケットの制御情報である
請求項１に記載の受信装置。
【請求項１０】
受信装置のデータ処理方法において、
前記受信装置が、
周波数分割多重化方式（ＦＤＭ）で伝送される放送信号を受信し、
前記放送信号から得られる、物理層の制御情報である第１の制御情報に含まれる情報であって、前記物理層よりも上位の層の制御情報である第２の制御情報の存在の有無を示す制御情報存在情報に基づいて、階層ごとに伝送される前記第２の制御情報を処理する
ステップを含み、
前記第１の制御情報は、前記物理層のフレームに含まれる可変長の情報であって、階層ごとに、前記制御情報存在情報を含む
データ処理方法。
【請求項１１】
物理層の制御情報である第１の制御情報であって、前記物理層よりも上位の層の制御情報である第２の制御情報の存在の有無を示す制御情報存在情報を含む前記第１の制御情報を生成する生成部と、
周波数分割多重化方式（ＦＤＭ）により、前記第１の制御情報と前記第２の制御情報を含む放送信号を送信する送信部と
を備え、
前記第１の制御情報は、前記物理層のフレームに含まれる可変長の情報であって、階層ごとに、前記制御情報存在情報を含む
送信装置。
【請求項１２】
（削除）
【請求項１３】
（削除）
【請求項１４】
前記物理層のフレームは、前記第１の制御情報の長さを示す長さ情報を含む
請求項１１に記載の送信装置。
【請求項１５】
前記長さ情報は、前記物理層のフレームの先頭を検出するための同期信号を含む
請求項１４に記載の送信装置。
【請求項１６】
前記階層は、１又は複数のセグメントから構成され、
前記第１の制御情報は、階層ごとに、セグメントの個数を示す情報を含む
請求項１１に記載の送信装置。
【請求項１７】
前記階層は、１又は複数のセグメントから構成され、
前記第１の制御情報は、階層ごとに、各階層が使用するセグメントを、セグメント単位で指定可能な情報を含む
請求項１１に記載の送信装置。
【請求項１８】
前記物理層のフレームの先頭には、その先頭の時刻を示す時刻情報を含み、
前記第１の制御情報は、前記物理層のフレームの境界と、前記物理層のフレームに含まれるパケットの境界とがずれている場合に、そのずれ量に応じたオフセットを含む
請求項１１に記載の送信装置。
【請求項１９】
前記第１の制御情報は、階層ごとの変調パラメータを含む制御情報であり、
前記第２の制御情報は、ＩＰパケットを含む可変長パケットの制御情報である
請求項１１に記載の送信装置。
【請求項２０】
送信装置のデータ処理方法において、
前記送信装置が、
物理層の制御情報である第１の制御情報であって、前記物理層よりも上位の層の制御情報である第２の制御情報の存在の有無を示す制御情報存在情報を含む前記第１の制御情報を生成し、
周波数分割多重化方式（ＦＤＭ）により、前記第１の制御情報と前記第２の制御情報を含む放送信号を送信する
ステップを含み、
前記第１の制御情報は、前記物理層のフレームに含まれる可変長の情報であって、階層ごとに、前記制御情報存在情報を含む
データ処理方法。
【国際調査報告】
2018008428.tif 000022
2018008428.tif 000023